(57)【要約】【課題】  簡単な構造で、通常鏡を使用する場合は収納棚内が見えないようにできる。狭いスペースや収納棚の前方に小物類を置いているような場合であっても、必要に応じて収納棚内の収納物の出し入れができる。【解決手段】  上下に対向する上枠１と下枠２間に鏡３と収納棚４とを横方向に並設して取付ける。上枠１に上レール５を設ける。収納棚４の前面を遮蔽するための扉６の上端部に設けた上ガイド７を上記上レール５に移動自在に嵌め込んで扉６を収納棚４の前方遮蔽位置から鏡３の前方位置に移動自在とする。【選択図】図１
2008264384.tif 000002
【特許請求の範囲】
【請求項１】
上下に対向する上枠と下枠間に鏡と収納棚とを横方向に並設して取付け、上枠に上レールを設け、収納棚の前面を遮蔽するための扉の上端部に設けた上ガイドを上記上レールに移動自在に嵌め込んで扉を収納棚の前方遮蔽位置から鏡の前方位置に移動自在として成ることを特徴とする収納棚付き鏡装置。
【請求項２】
下枠に下レールを設け、扉の下端部に設けた下ガイドを上記下レールに移動自在に嵌め込んで成ることを特徴とする請求項１記載の収納棚付き鏡装置。
【請求項３】
上枠に下方に開口する上嵌め込み凹部を設けると共に下枠に上方に開口する下嵌め込み凹部を形成し、該上嵌め込み凹部と下嵌め込み凹部に収納棚の上端部及び下端部を着脱自在に取付けて成ることを特徴とする請求項１又は請求項２記載の収納棚付き鏡装置。
【発明の詳細な説明】
【技術分野】
【０００１】
本発明は、収納棚付き鏡装置に関するものである。
【背景技術】
【０００２】
従来から、鏡の側部に収納棚が位置するように鏡と収納棚を横方向に並設することが特許文献１などにより知られている。
【０００３】
ところが、上記特許文献１に示された従来例においては、収納棚に扉がないため収納棚内の収納物が見えてしまい、外観上見苦しいという問題があり、また、上記従来例のように浴室内に設置されている場合、シャワーなどを使っている時に石鹸水や垢等が収納棚や収納棚内に収納した収納物に掛かって汚すという問題がある。
【０００４】
一方、鏡の側部に収納棚を設けた洗面化粧台において、収納棚の前面開口を開閉するために扉を回動自在に取付けることも知られている。しかし、収納棚の前面開口を開放するために扉を回動して前方に突出させるようにしたものの場合、狭いスペースにおいては、前方に扉を突出させると扉が邪魔になって、室内での人の動きに支障が生じたり、あるいは収納棚の前に物を置いていると、扉が収納物に当るという問題があり、例えば、収納棚の下部前方にカウンターを設け、カウンターの上にシャンプーなどの容器を置いている場合、容器が邪魔になって扉を回動することができず、また容器に当って容器を落下させたりするという問題がある。
【特許文献１】特開２００１−３２５８０３
【発明の開示】
【発明が解決しようとする課題】
【０００５】
本発明は上記の従来の問題点に鑑みて発明したものであって、簡単な構造で、通常時や鏡を使用する場合は収納棚を覆い隠すことができ、且つ、狭いスペースや収納棚の前方に小物類を置いているような場合であっても、必要に応じて収納棚内の収納物の出し入れができる収納棚付き鏡装置を提供することを課題とするものである。
【課題を解決するための手段】
【０００６】
上記課題を解決するために本発明に係る収納棚付き鏡装置は、上下に対向する上枠１と下枠２間に鏡３と収納棚４とを横方向に並設して取付け、上枠１に上レール５を設け、収納棚４の前面を遮蔽するための扉６の上端部に設けた上ガイド７を上記上レール５に移動自在に嵌め込んで扉６を収納棚４の前方遮蔽位置から鏡３の前方位置に移動自在として成ることを特徴とするものである。
【０００７】
このような構成とすることで、上枠１と下枠２間に鏡３と収納棚４とを横方向に並設して取付けるので、簡単に鏡３と収納棚４とを並設でき、通常の鏡３の使用時には扉６を上レール５に沿って移動させて収納棚４の前方遮蔽位置に位置させることで、収納棚４内が見えないようにして鏡３の使用ができる。また、鏡３を使用しない時でも収納棚４内への収納物の出し入れをしない時は扉６により収納棚４内が見えないようにして外観を良くし且つ収納棚４内に異物が入らないようにできて、これにより浴室内に設置してもシャワー水、石鹸水、垢等が収納棚内に入らないようにでき、一方、収納棚４内に収納物を出し入れする場合は、扉６を上レール５に沿って鏡３の前方位置に移動させることで収納棚４の前方開口を開放して収納物の出し入れを行うが、この場合、扉６は前方に突出することなく、鏡３前方に横方向に移動するだけなので、狭いスペースや収納棚４の前方に小物が置いてあるような場合であっても、簡単に扉６を移動して収納棚４の前方開口を開放することができ、扉６が鏡３の前方側に移動するので、特別に、戸袋が必要でなく、この結果、浴室などの狭い場所や、収納棚４の前方にシャンプーの容器などを置く場合でも問題なく扉６の開閉操作ができる。
【０００８】
また、下枠２に下レール８を設け、扉６の下端部に設けた下ガイド９を上記下レール８に移動自在に嵌め込むことが好ましい。
【０００９】
このような構成とすることで、鏡３と収納棚４とを横方向に並設して取付けるための上枠１、下枠２にそれぞれ設けた上レール５と下レール８とに扉６の上下を支持させて移動できるので、扉６の移動が安定して行え、且つ、鏡３、収納棚４と扉６との位置関係を正確に確保できる。
【００１０】
また、上枠１に下方に開口する上嵌め込み凹部１０を設けると共に下枠２に上方に開口する下嵌め込み凹部１１を形成し、該上嵌め込み凹部１０と下嵌め込み凹部１１に収納棚４の上端部及び下端部を着脱自在に取付けることが好ましい。
【００１１】
このような構成とすることで、鏡３の上下を取付けるための上下に対向する上枠１、下枠２に簡単に収納棚４を着脱自在に取付けることができ、収納棚４の交換などが容易に行える。
【発明の効果】
【００１２】
本発明は、上下に対向する上枠と下枠間に鏡と収納棚とを横方向に並設して取付け、収納棚の前面を遮蔽するための扉の上端部に設けた上ガイドを上枠に設けた上レールに移動自在に嵌め込んで扉を収納棚の前方遮蔽位置から鏡の前方位置に移動自在としてあるので、簡単な構造で収納棚を覆い隠すことができて、収納棚内が見えないようにできると共に収納棚内に異物が入らないようにでき、また、収納棚内に収納物を出し入れする際には鏡の前に移動して収納棚の前方開口を開放することができ、これにより、狭いスペースや収納棚の前方に小物類を置いているような場合であって、特別に戸袋を設けることなく扉をスライドして収納棚内の収納物の出し入れができると共に、特別な戸袋が必要でないので、その分スペース的に有利である。
【発明を実施するための最良の形態】
【００１３】
以下、本発明を添付図面に示す実施形態に基いて説明する。
【００１４】
本発明の収納棚付き鏡装置は、上下に対向する上枠１と下枠２と、この上枠１、下枠２間に配設されて横方向に並設して取付けられる鏡３及び収納棚４と、収納棚４の前方開口を開閉自在とした扉６とで構成してある。
【００１５】
上枠１、下枠２は壁１５に固定されるものである。上枠１の長手方向の全長わたって下方に向けて開口する嵌め込み凹部１０が設けてあり、下枠２の長手方向の全長わたって上方に開口する下嵌め込み凹部１１が設けてあり、鏡３の下端部を下嵌め込み凹部１１に嵌め込むと共に、鏡３の上端部を上嵌め込み凹部１０に嵌め込み、収納棚４の下端部を下嵌め込み凹部１１に嵌め込むと共に、収納棚４の上端部を上嵌め込み凹部１０に嵌め込むことで上下に対向する上枠１と下枠２間に鏡３と収納棚４とを横方向に並設して取付けてある。
【００１６】
上枠１には全長にわたって一体に上レール５が設けてある。図１の実施形態では、上枠１の全長わたって突片１６を前方に向けて突設し、該突片１６の前端部に全長にわたって上レール５が一体に形成してある。上レール５には扉６の上端部に設けた上ガイド７を移動自在に取付けてある。扉６は収納棚４の前方を覆い隠すことができる大きさのもので、上レール５に沿って扉６をスライド移動させて収納棚４の前方遮蔽位置に位置させると、扉６により収納棚４が完全に隠されて前方に露出しないようになっている。この場合、このように扉６を収納棚４の前方遮蔽位置に位置させた状態では鏡３のほぼ全面が露出するようになっている。したがって、鏡３を使用する際には収納棚４内が見えず外観が良く、しかも、鏡３のほぼ全面を使用することができる。また、鏡３を使用しない場合でも扉６で遮蔽されて収納棚４内に埃などが進入しないようになっており、また、浴室などに設置した場合、シャワー水、石鹸水、垢で汚れた水が収納棚４にかからないようにできる。
【００１７】
一方、収納棚４内に収納物を出し入れする際は、扉６を上レール５に沿って移動させて図１のように収納棚４を開放することで、収納棚４への収納物の出し入れをすることができる。この場合、扉６をスライドさせて収納するための別途特別な戸袋や戸袋配置スペースを必要とせず、鏡３の前の空間を利用して扉６をスライドさせることができる。また、扉６が回動により開閉するものでないので、扉６を開いたときに前方に突出することがなく、したがって、狭いスペースや収納棚４の前方に小物が置いてあるような場合であっても、簡単に扉６を移動して収納棚４の前方開口を開放することができることになる。
【００１８】
図２は本発明の他の実施形態が示してある。上記実施形態では上枠１に設けた上レール５にのみ扉６の上端部に設けた上ガイド７を移動自在に取付けることで扉６を移動自在に吊り下げ支持した例を示したが、図２のように上枠１の全長にわたって上レール５を一体に設けると共に下枠２の全長にわたって下レール８を一体に設け、扉６の上端部に設けた上ガイド７を上レール５に走行自在に取付けると共に扉６の下端部に設けた下ガイド９を下レール８に走行自在に取付けることで、扉６を横方向にスライド移動自在に取付けてある。
【００１９】
本実施形態においては、鏡３と収納棚４とを横方向に並設して取付けるための上枠１、下枠２にそれぞれ設けた上レール５と下レール８とに扉６の上下を支持させて移動させるものであって、安定して扉６をスライド移動させることができる。しかも、扉６の上枠１下枠２との位置関係が決まり、これにより扉６と、上枠１と下枠２との間に横方向に並設した鏡３、収納棚４と扉６との位置関係を正確に確保でき、収納棚４が前方に突出していてもこれを確実に避けてスライドできることになる。
【００２０】
次に、図３に基づいて本発明の他の実施形態につき説明する。収納棚４は上枠１、下枠２間に配設されて上下端部を上枠１と下枠２とに取付けるのであるが、本実施形態においては、収納棚４が上枠１、下枠２に対して着脱自在に取付けてある。
【００２１】
上枠１の長手方向の全長わたって下方に向けて開口する上嵌め込み凹部１０が設けてある。また、下枠２に上方に開口する下嵌め込み凹部１１を形成してある。
【００２２】
図３に示す実施形態では上下に対向する上嵌め込み凹部１０と下嵌め込み凹部１１とにけんどん式で収納棚４の上端部と下端部とを着脱自在に嵌め込むようになっている。すなわち、収納棚４の取付けにあたっては、まず、図３（ａ）→（ｂ）に示すように、収納棚４を斜めにして上端部を上嵌め込み凹部１０内の奥深くに嵌め込むと共に図３（ｂ）の矢印のように収納棚４を回動して収納棚４の下端部を下嵌め込み凹部１１の直上に位置させ、次に、図３（ｃ）の矢印のように収納棚４を下方に移動して、図３（ｄ）のように収納棚４の下端部を下嵌め込み凹部１１に嵌め込むと共に収納棚４の上端部を上嵌め込み凹部１０内の下端部の入口付近に嵌め込んだままの状態とすることで収納棚４を上枠１と下枠２とに取付けることができる。一方、取り外す場合は、上記と逆の順序で取り外すことができる。
【００２３】
また、図４、図５には他の実施形態が示してあり、この実施形態では、収納棚４の上端部に上方に開口する縦溝１９を設け、該縦溝１９内に引掛け用突部１３が上方に突出自在に挿入してあり、引掛け用突部１３は縦溝１９内に収納したばね１２により上方に突出するばね力が付与してある。該引掛け用突部１３には操作摘み１８が設けてあり、この操作摘み１８は収納棚４の前面上部に設けた縦長孔２０に上下にスライド自在に貫通させてあり、収納棚４の前面側から操作摘み１８を操作することでばね１２に抗して引掛け用突部１３を縦溝１９内に引き込ませることができるようになっている。
【００２４】
そして、収納棚４の下端部を下嵌め込み凹部１１に着脱自在に嵌め込むと共に、収納棚の上端部に設けた引掛け用突部１３を図５（ａ）のように抜き取り自在に上嵌め込み凹部１０に嵌め込むことで収納棚４を上枠１と下枠２とに着脱自在に取付けるようになっている。
【００２５】
収納棚４を取り外す際は、操作摘み１８を操作して引掛け用突部１３を下方に移動させて上嵌め込み凹部１０から下方に抜いた状態で図５（ｂ）の矢印のように収納棚４の上端部を前方に移動させると共に収納棚４を上方に引き上げることで収納棚４の下端部を下嵌め込み凹部１１から取り外すことができる。
【００２６】
このように収納棚４を上枠１、下枠２に着脱自在に取付けることで、鏡３の上下を取付けるための上下に対向する上枠１、下枠２に簡単に収納棚４を着脱自在に取付けることができ、しかも、収納棚４の交換などが容易に行えることになる。
【００２７】
図６には上枠１、下枠２間に鏡３と複数の収納棚４とを横方向に並設した実施形態が示してあり、複数の収納棚４を上記のように上枠１、下枠２に対して着脱自在に取付けるように構成することで、横方向に並設した複数の収納棚４の配置を、ユーザの希望により入れ替えたりすることが可能となる。
【図面の簡単な説明】
【００２８】
【図１】本発明の一実施形態の斜視図である。
【図２】同上の他の実施形態の斜視図である。
【図３】（ａ）（ｂ）（ｃ）（ｄ）は同上の収納棚を着脱自在に取付ける一実施形態の取付け順序を示す説明図である。
【図４】同上の収納棚を着脱自在に取付ける他の実施形態の斜視図である。
【図５】（ａ）は同上の収納棚の上端部に設けた引掛け用突部を上嵌め込み凹部に嵌め込んでいる状態の断面図であり、（ｂ）は引掛け用突部を下方に移動させて上嵌め込み凹部から脱離させた状態の断面図である。
【図６】同上の更に他の実施形態の斜視図である。
【符号の説明】
【００２９】
１  上枠
２  下枠
３  鏡
４  収納棚
５  上レール
６  扉
７  上ガイド
８  下レール
９  下ガイド
１０  上嵌め込み凹部
１１  下嵌め込み凹部
１２  ばね
１３  引掛け用突部
【図１】
2008264384.tif 000003
【図２】
2008264384.tif 000004
【図３】
2008264384.tif 000005
【図４】
2008264384.tif 000006
【図５】
2008264384.tif 000007
【図６】
2008264384.tif 000008